(57)【要約】【課題】  ビスやボルトを使用しない工具不要の組み立て式の支持脚付台でありながら、設置後に移動させた場合にも台本体から支持脚が外れてしまうことがなく、使用時におけるぐらつきの少ない、安定性の高い支持脚付台を提供する。【解決手段】  連結体（４）が、台本体（２）の差込穴（２２３ａ）に差し込まれる一対の支持脚（３）を相互に平行となる状態で連結する一方、台本体（２）に設けられた挟持体（２３，２４）が、その一対の支持脚（３）を差込穴（２２３ａ）の内周縁を支点として側面視でハの字形又は逆ハの字形を形成する方向に付勢する。【選択図】図５
0003102782.tif 000002
【実用新案登録請求の範囲】
【請求項１】
台本体（２）と、
該台本体（２）の下面に貫通形成された差込穴（２２３ａ）に上端（３ａ）側を差し込まれた状態で、前記台本体（２）を下側から受止支持する一対の支持脚（３）と、
前記支持脚（３）の上下方向における中途部に設けられる被掛止部（３２）に対して掛止される掛止部（４２）が両端に形成され、前記差込穴（２２３ａ）に差し込まれた前記一対の支持脚（３）を相互に平行となる状態で連結する連結体（４）と、を有してなり、
前記台本体（２）における前記差込穴（２２３ａ）の上方には、前記支持脚（３）の上端（３ａ）を弾性的に挟持するとともに、前記差込穴（２２３ａ）の内周縁を支点として、前記一対の支持脚（３）を側面視でハの字形又は逆ハの字形を形成する方向に付勢する挟持体（２３，２４）が備えられていることを特徴とする支持脚付台。
【請求項２】
前記挟持体（２３）は、ベースプレート（２３１）と、該ベースプレート（２３１）に対向するように前記ベースプレート（２３１）に固定される板バネ（２３２）と、で構成されており、前記ベースプレート（２３１）を前記台本体（２）に嵌合させることにより取り付けられることを特徴とする請求項１に記載の支持脚付台。
【請求項３】
前記挟持体（２４）は、前記台本体（２）に固定される板バネ（２４１）と、前記台本体（２）の側壁面（２２１）における前記板バネ（２４１）との対向面と、で構成されることを特徴とする請求項１に記載の支持脚付台。
【請求項４】
前記連結体（４）は、平板状であって、前記一対の支持脚（３）に前記両端を掛止されることにより、棚板を形成することを特徴とする請求項１乃至３のいずれかに記載の支持脚付台。
【考案の詳細な説明】
【技術分野】
【０００１】
本考案は、支持脚を備える流し台や作業台等の支持脚付台に関する。
【背景技術】
【０００２】
従来から、水槽を備えた流し台本体の下面の差込部に、一対の支持脚を差し込むだけで流し台本体が支持脚に架け渡されるように組み立てられる流し台（例えば、特許文献１参照）や、流し台本体の下面にビス、ボルト等で支持脚を連結固定することにより組み立てられる流し台（例えば、特許文献２参照）が採用されている。
【特許文献１】特開２０００−２４５６４５号公報
【特許文献２】特開２００１−５７９４２号公報
【考案の開示】
【考案が解決しようとする課題】
【０００３】
ところで、上述した、一対の支持脚を流し台本体に差し込むだけで構成される流し台を、設置後に移動させることができるようにするためには、支持脚を床面等に固定しないでおく必要がある。しかしながら、流し台本体と支持脚は相互に連結固定されていないため、流し台を移動するために持ち上げた際に、流し台本体から支持脚が外れてしまい、外れた支持脚が転倒して作業者に当たって怪我をさせる心配がある。また、移動場所において、流し台を一から組立て直さなければならないという問題がある。
【０００４】
これに対して、上述した、流し台本体の下面にビス等で支持脚を連結固定する流し台は、移動させる際に支持脚が外れたりすることがなく、自由自在に場所移動させることができるものであるが、支持脚をボルト等で固定する組み立て作業は面倒であり、ドライバーやスパナ等の工具が必要になる。したがって、構成部品のみを梱包して販売し、ユーザー自らが組み立てるノックダウン方式の商品としては、あまり好ましいものではなかった。
【０００５】
本考案は、斯かる実情に鑑み、ビスやボルトを使用しない工具不要の組み立て式の支持脚付台でありながら、設置後に移動させた場合にも台本体から支持脚が外れてしまうことがなく、使用時におけるぐらつきの少ない、安定性の高い支持脚付台を提供しようとするものである。
【課題を解決するための手段】
【０００６】
本考案は支持脚付台にかかるものである。
【０００７】
請求項１の考案は、台本体（２）と、該台本体（２）の下面に貫通形成された差込穴（２２３ａ）に上端（３ａ）側を差し込まれた状態で、前記台本体（２）を下側から受止支持する一対の支持脚（３）と、前記支持脚（３）の上下方向における中途部に設けられる被掛止部（３２）に対して掛止される掛止部（４２）が両端に形成され、前記差込穴（２２３ａ）に差し込まれた前記一対の支持脚（３）を相互に平行となる状態で連結する連結体（４）と、を有してなり、前記台本体（２）における前記差込穴（２２３ａ）の上方には、前記支持脚（３）の上端（３ａ）を弾性的に挟持するとともに、前記差込穴（２２３ａ）の内周縁を支点として、前記一対の支持脚（３）を側面視でハの字形又は逆ハの字形を形成する方向に付勢する挟持体（２３，２４）が備えられていることを特徴とする支持脚付台を提供する。
【０００８】
請求項２の考案は、前記挟持体（２３）は、ベースプレート（２３１）と、該ベースプレート（２３１）に対向するように前記ベースプレート（２３１）に固定される板バネ（２３２）と、で構成されており、前記ベースプレート（２３１）を前記台本体（２）に嵌合させることにより取り付けられることを特徴とする請求項１に記載の支持脚付台を提供する。
【０００９】
請求項３の考案は、前記挟持体（２４）は、前記台本体（２）に固定される板バネ（２４１）と、前記台本体（２）の側壁面（２２１）における前記板バネ（２４１）との対向面と、で構成されることを特徴とする請求項１に記載の支持脚付台を提供する。
【００１０】
請求項４の考案は、前記連結体（４）は、平板状であって、前記一対の支持脚（３）に前記両端を掛止されることにより、棚板を形成することを特徴とする請求項１乃至３のいずれかに記載の支持脚付台を提供する。
【００１１】
請求項１乃至４の考案によれば、連結体（４）が、台本体（２）の差込穴（２２３ａ）に差し込まれる一対の支持脚（３）を相互に平行となる状態で連結する一方、台本体（２）に設けられた挟持体（２３，２４）が、その一対の支持脚（３）を差込穴（２２３ａ）の内周縁を支点として側面視でハの字形又は逆ハの字形を形成する方向に付勢する。したがって、支持脚（３）が、挟持体（２３，２４）、差込穴（２２３ａ）の内周縁、連結体（４）の掛止部（４２）の３点で、水平方向の押圧力によって支持されることとなり、その押圧力による抵抗で差込穴（２２３ａ）から抜けにくくなるという作用を奏するものである。また、前記３点からの押圧力で、支持脚（３）が台本体（２）及び連結体（４）に対して押付固定されることにより、支持脚（３）のぐらつきが抑制される作用を奏するものである。
【考案の効果】
【００１２】
請求項１乃至４に記載される支持脚付台によれば、工具を使用してビスやボルト等による締付作業を行わずに支持脚（３）を差込穴（２２３ａ）に差し込んで、その支持脚（３）に連結体（４）を掛止するだけで、支持脚（３）が差込穴（２２３ａ）から抜けにくくすることができ、設置後に移動させた場合でも台本体（２）から支持脚（３）が容易に外れてしまうことがないという優れた効果を奏し得る。また、支持脚（３）が台本体（２）に対して押付固定されることにより、使用時におけるぐらつきの少ない、安定性の高いに支持脚付台が得られるという優れた効果を奏し得るものである。
【００１３】
また、請求項２に記載される支持脚付台によれば、ベースプレート（２３１）と板バネ（２３２）からなる挟持体（２３）を、台本体（２）に嵌合させて取り付けることができるので、挟持体（２３）単体で板バネ（２３２）の効き具合を予め調整した後で、台本体（２）に簡単に取り付けることができ、台本体（２）製作の容易化を図ることができるという優れた効果を奏し得るものである。
【００１４】
請求項３に記載される支持脚付台によれば、台本体（２）の側壁面（２２１）を挟持体（２４）の一部として利用するので、部品点数の削減を図ることができるという優れた効果を奏し得るものである。
【００１５】
請求項４に記載される支持脚付台によれば、連結体（４）が棚板を形成するので、台本体（２）の下方に物を収納することができて使い勝手がよいという優れた効果を奏し得るものである。
【考案を実施するための最良の形態】
【００１６】
以下、本考案の実施の形態を、添付図面を参照しつつ説明する。
【００１７】
図１〜図７は本考案を実施する形態の一例を示すものである。図１は、支持脚付台となる流し台１の組み立て後の状態を示す斜視図であり、図２は、流し台１が組み立てられる前の構成部品を示す分解斜視図である。図３（ａ）は、流し台１の流し台本体２に形成された支持脚３用の差込穴２２３ａ周辺の分解斜視図であり、図３（ｂ）は、その組み立て後の状態を示す斜視図である。図４は、流し台本体２への支持脚３の差込作業を説明する図である。図５は、図３（ｂ）のＸ−Ｘ断面に相当する図であって、流し台１の組立作業時における流し台本体２内の様子を説明する図である。
【００１８】
図６は、組立作業時における流し台１の側面視図である。図７は、支持脚３に設けられる被掛止部３２に、連結体４の掛止部４２を掛止した状態を示す図である。図８は、上記実施形態の変形例を示す図であって、図５に対応させた断面図である。図９は、さらに別の変形例を示す図であって、（ａ）は、支持脚付台となる作業台５の組み立て後の状態を示し、（ｂ）は、組み立てられる前の状態を示す分解斜視図である。
【００１９】
（流し台１の概要）
流し台１は、図１、図２及び図４に示されるように、流し台本体２と、流し台本体２の下面４隅に貫通形成された差込穴２２３ａに上端３ａ側を差し込まれた状態で、流し台本体２を下側から受止支持する一対の支持脚３と、支持脚３の上下方向における中途部に設けられる被掛止部３２に対して掛止される掛止部４２が両端に形成され、差込穴２２３ａに差し込まれた一対の支持脚３を相互に平行となる状態で連結する連結体４と、を有してなる。
【００２０】
（流し台本体２）
流し台本体２は、上部開口した水槽２１ａを備える上部本体２１と、上部本体２１の下方に連結されて上部本体２１の下方を周囲から覆う下部本体２２とで構成される。上部本体２１は、底部に排水孔２１ｄが形成される水槽２１ａと、水槽２１ａの上部開口縁に一体的に設けられる額縁形状の上部パネル２１ｂと、上部パネル２１ｂの周縁部から垂下する縦壁部２１ｃとを備えてなる。排水孔２１ｄには、目皿２５１、ネジ付フランジ２５２、パッキン２５３を上から、鍔付ナット２５４を下からあてがって、水槽２１ａを挟むように締付固定し、ねじ付フランジ２５２の底部に排水ホース２５５を接続することによって、配水構造が設けられる。
【００２１】
下部本体２２は、上部本体２１の下方に突出する水槽２１ａを目隠しするエプロンとなるものであって、図３に示されるような断面コの字状のパネルが、四角形の枠状に形成されたものである。下部本体２２を形成する断面コの字状のパネルは、化粧面となる側壁面２２１と、側壁面２２１の上下から水平方向に延びる上壁面２２２、下壁面２２３で構成されており、下壁面２２３に支持脚３を差し込むための差込穴２２３ａが貫通形成される。下部本体２２の断面コの字状の内面側であって差込穴２２３ａの上方には、差込穴２２３ａから差し込まれた支持脚３の上端３ａを弾性的に挟持する挟持体２３が備えられる。
【００２２】
挟持体２３は、図３（ａ）に示されるように、断面コの字状のベースプレート２３１と、下部が所定の隙間をおいてベースプレート２３１に対向するようにベースプレート２３１にスポット溶接等で固定される板バネ２３２とで構成される。板バネ２３２の下部には、横方向に延びるように折り曲げ形成されて、差し込まれる支持脚３の上端３ａが突き当てられるストッパ２３２ａと、ストッパ２３２ａの先端から下方に延びて支持脚３をベースプレート２３１との間で挟持する挟持片２３２ｂと、挟持片２３２ｂとベースプレート２３１の間に支持脚３を差し込みやすくするためにガイド片２３２ｃとが形成されている。
【００２３】
このように構成される挟持体２３は、上壁面２２２の端部に形成されるフランジ２２２ｂと、下壁面２２３の端部に形成されるフランジ２２３ｂにより上下端を係止されるようにスライド挿入され、図３（ｂ）に示されるように差込穴２２３ａに対応する位置において、差込穴２２３ａの中心線Ｏに対して、流し台本体２の左右幅方向の内側を向くように傾斜した状態で取り付けられる。したがって、挟持体２３は、単体で板バネ２３２の効き具合を予め調整した後で、流し台本体２に簡単に取り付けることができ、流し台本体２の製作の容易化を図ることができるものである。
【００２４】
（支持脚３）
支持脚３は、図２に示されるように、２本の支柱部３１の上下方向の中途部を、横方向に延びる梁状部で連結固定して形成されるＨ型部材であって、支柱部３１の下端には、ねじ込み式の高さ調整アジャスター３３が取り付けられている。横方向に延びる梁状部は、連結体４の両端に形成される掛止部４２を掛止するための被掛止部３２となる。支持脚３は、図２に示されるように、その上端３ａを流し台本体２に対して下面側から左右一対となるように差し込まれて、流し台本体２を下側から受止支持するものであるが、実際の作業は、図４に示されるように、流し台本体２を上下反転させて上方に開口された差込穴２２３ａに対して、支持脚３の上端３ａを差し込むこととなる。
【００２５】
このとき、支持脚３は、図５（ａ）に矢印で示されるように、差込穴２２３ａから挟持体２３の内部に進入させられて、上端３ａが、板バネ２３２の挟持片２３２ｂで挟持されることとなるものであるが、挟持体２３が差込穴２２３ａの中心線Ｏに対して傾斜させられている関係上、図５（ｂ）において実線で示されるように下端側が内側を向くように傾斜させられた状態で弾性支持されることとなる。したがって、この状態で流し台本体２の上下方向を元に戻して床面に設置すると、図６に実線で示されるように、支持脚３が側面視で逆ハの字形を形成することとなる。なお、図５において、太線で示される部分は、各構成部品の断面を表す。
【００２６】
この逆ハの字形の状態でも、支持脚３の上端３ａは、板バネ２３２で形成される挟持片２３２ｂに挟持されているため、流し台本体２から容易に外れることはないが、その保持力は左程大きいものではなく、また支持脚３が傾斜させられている以上、ぐらつきが避けられない。そこで次に述べる連結体４を、支持脚３に形成される被掛止部３２に掛止することにより、傾斜を矯正して、ぐらつきを解消するようにしている。
【００２７】
（連結体４）
連結体４は、平板状部材であって、支持脚３の横梁状の被掛止部３２に掛止されることにより、図１に示されるように、流し台本体２に差し込まれた一対の支持脚３を相互に平行となる状態で連結することができる寸法に設定されており、流し台本体２の下方に物を収納することができる使い勝手の良い棚板を形成するものである。連結体４は、図７に示されるように、矩形状の本体部４１と、本体部４１の左右幅方向の両端部に形成されるＬ字型の掛止部４２で構成されており、掛止部４２は、被掛止部３２にがたつきなく嵌合する寸法に設定されている。なお、連結体４は、図１に示されるとおり、排水ホース２５５を避けることができるように、前後幅方向の寸法が設定されている。
【００２８】
上記のとおりであるから、被掛止部３２に連結体４を架け渡すようにすることにより、
挟持部２３により、逆ハの字形を形成する方向に付勢させられている一対の支持脚３は、図５（ｂ）において一点差線で示されるように、相互に平行となる状態に広げられる。これにより、支持脚３は、図５（ｃ）に示されるように、挟持体２３、差込穴２２３ａの内周縁、連結体４の掛止部４２の３点で、水平方向の押圧力（矢印Ａ，Ｂ，Ｃで示す）によって支持されることとなり、その押圧力による摺動抵抗で差込穴２２３ａから抜けにくくなるものである。また、前記３点からの押圧力で、支持脚３が流し台本体２に対して押付固定されることにより、支持脚３のぐらつきが抑制されるものである。
【００２９】
（上記実施形態の変形例）
上記実施形態では、挟持体２３を、ベースプレート２３１と板バネ２３２で形成して、差込穴２２３ａの上方に取り付けるようにしたが、これに代えて、図８に示されるように、台本体２の上部に直接固定される板バネ２４１と、台本体２の側壁面２２１における板バネ２４１との対向面とで、挟持体２４を構成するようにしても良い。挟持体２４は、図８（ａ）あるいは（ｂ）に示されるように、差込穴２２３ａに支持脚３の上端３ａを差し込むことにより、上記実施形態と同様に、一対の支持脚３が逆ハの字形を形成するように傾斜させられるものであるが、支持脚３に設けられる被掛止部３２に連結体４を掛止することにより、相互に平行となる状態に広げられる。
【００３０】
これにより、上記実施形態と同様、支持脚３が、図８（ｃ）に示されるように、挟持体２４、差込穴２２３ａの内周縁、連結体４の掛止部４２の３点で、水平方向の押圧力（矢印Ａ，Ｂ，Ｃで示す）によって支持されることとなり、その押圧力による摺動抵抗で差込穴２２３ａから抜けにくくなるものである。また、前記３点からの押圧力で、やはり、支持脚３が台本体２に対して押付固定されることにより、支持脚３のぐらつきが抑制されるものである。
【００３１】
上記実施形態では、支持脚付台が流し台１である例について説明したが、台本体として、流し台本体２に代えて、平坦な天板６を採用して、図９に示されるようなテーブル状の作業台５を形成するようにしても良い。また、上記実施形態では、連結体４を平板状に形成して棚板を設けるようにしたが、図９に示されるようなステー状に形成した連結体７を採用するようにしても良い。
【００３２】
上記実施形態では、挟持体２３，２４は、一対の支持脚３を側面視で逆ハの字形を形成させるように傾斜させていたが、これに限らず、ハの字形を形成する方向に傾斜させるようにしても良い。
【００３３】
その他、本考案の支持脚付台は、上記した実施の形態に限定されるものではなく、本考案の要旨を逸脱しない範囲内において種々変更を加え得ることは勿論である。
【図面の簡単な説明】
【００３４】
【図１】本考案の実施形態となる流し台の組み立て後の状態を示す斜視図。
【図２】本考案の実施形態となる流し台が組み立てられる前の構成部品を示す分解斜視図。
【図３】（ａ）は、本考案の実施形態となる流し台の流し台本体に形成された支持脚の差込穴周辺の分解斜視図、（ｂ）は、その組み立て後の状態を示す斜視図。
【図４】本考案の実施形態となる流し台の流し台本体への支持脚の差込作業を説明する図。
【図５】本考案の実施形態となる流し台において、図３（ｂ）のＸ−Ｘ断面に相当する図であって、組立作業時における流し台本体内の様子を説明する図。
【図６】本考案の実施形態となる流し台の組立作業時における側面視図。
【図７】本考案の実施形態となる流し台の支持脚に設けられる被掛止部に、連結体の掛止部を掛止した状態を示す図。
【図８】上記実施形態の変形例を示す図であって、図５に対応する断面図。
【図９】さらに別の変形例を示す図であって、（ａ）は、支持脚付台となる作業台の組み立て後の状態を示す図、（ｂ）は、組み立てられる前の状態を示す分解斜視図。
【符号の説明】
【００３５】
１    支持脚付台
２    台本体
２１ａ    水槽
２２    下部本体
２２１    側壁面
２２３ａ    差込穴
２３，２４    挟持体
２３１    ベースプレート
２３２    板バネ
２４１    板バネ
３    支持脚
３ａ    上端
３２    被掛止部
４    連結体
４１    本体部
４２    掛止部
５    作業台
６    天板
７    連結体
【図１】
0003102782.tif 000003
【図２】
0003102782.tif 000004
【図３】
0003102782.tif 000005
【図４】
0003102782.tif 000006
【図５】
0003102782.tif 000007
【図６】
0003102782.tif 000008
【図７】
0003102782.tif 000009
【図８】
0003102782.tif 000010
【図９】
0003102782.tif 000011